【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
アクセス開口部を有する試料チャンバを含む改良された試料チャンバシステムであって、
前記アクセス開口部は、前記試料チャンバへの試料の挿入を可能にするための開放位置を有し、前記試料チャンバが封止された状態で閉鎖される閉鎖位置を有し、且つ中間位置を有するように適合されており、前記システムは、前記試料チャンバの体積が流体源と流体的に連通するかどうかを選択的に制御するように適合された開位置及び閉位置を有する第１の弁部分を含み、前記システムは、前記試料チャンバの体積がスペクトル分析位置と流体的に連通するかどうかを選択的に制御するように適合された開位置及び閉位置を有する第２の弁部分を含んでおり、
前記第１の弁部分及び前記第２の弁部分のうちの少なくとも一方が、前記アクセス開口部の位置の変化に直接的に依存してその開位置とその閉位置との間で動くように動作可能である、
システム。
【請求項２】
前記アクセス開口部は、ドア及び対応する出入口である、請求項１に記載のシステム。
【請求項３】
前記アクセス開口部は、ドロワ面及び対応するベゼルである、請求項１に記載のシステム。
【請求項４】
前記位置依存性は、前記第１の弁部分及び前記第２の弁部分のうちの少なくとも一方と前記アクセス開口部との間の機械的関係の結果である、請求項１に記載のシステム。
【請求項５】
前記機械的関係は、前記第１の弁部分及び前記第２の弁部分のうちの少なくとも一方と前記アクセス開口部との間で機械的に連通する機械アクチュエータの結果である、請求項４に記載のシステム。
【請求項６】
前記位置依存性が、前記第１の弁部分及び前記第２の弁部分のうちの少なくとも一方と機械的に連通する電気アクチュエータの結果であり、前記電気アクチュエータは、位置入力信号に基づいて位置決め力を与え、前記位置入力信号は、前記アクセス開口部の位置に基づいている、請求項１に記載のシステム。
【請求項７】
室内雰囲気から分離した流体流れの中で試料を処理するための改良された試料チャンバであって、前記試料チャンバは流体入口及び流体出口を有し、
前記改良は、入口スライド及び出口スライドを有する試料ドロワであって、前記試料ドロワが前記試料チャンバに対して第１、第２、及び第３の位置を有するように前記試料チャンバに作用的に接続される試料ドロワを備え、
前記入口スライドが、前記流体入口及び前記流体出口と連通するように配置され、且つ、１）前記試料ドロワが前記第１の試料ドロワ位置に設定されるとき、前記入口スライドが前記流体流れを前記流体入口から前記流体出口へと導き、２）前記試料ドロワが前記第２の試料ドロワ位置に設定されるとき、前記入口スライドが前記流体流れを前記流体入口から前記試料ドロワへと導き、３）前記試料ドロワが前記第３の位置に設定されるとき、前記入口スライドが前記流体流れを前記流体入口から前記試料ドロワへと導くように、前記試料ドロワに作用的に接続され、
出口スライドが、前記流体出口及び前記入口スライドと連通するように配置され、且つ１）前記試料ドロワが前記第１の試料ドロワ位置に設定されるとき、前記出口スライドが前記流体流れを前記入口スライドから前記流体出口へと導き、２）前記試料ドロワが前記第２の試料ドロワ位置に設定されるとき、前記出口スライドが前記流体出口を閉鎖し、３）前記試料ドロワが前記第３の位置に設定されるとき、前記出口スライドが前記流体流れを前記試料チャンバから前記流体出口へと導くように、前記試料ドロワに作用的に接続されている、
試料チャンバ。
【請求項８】
前記第１の試料ドロワ位置が実質的開放であり、前記第２の試料ドロワ位置が部分的開放であり、前記第３の試料ドロワ位置が実質的閉鎖である、請求項７に記載の試料チャンバ。
【請求項９】
流体入口、流体出口、及び試料ドロワを有する試料チャンバの中で流体流れを自動的に処理する改良された方法であって、前記試料ドロワが入口スライド及び出口スライドを有し、前記試料チャンバを開放及び閉鎖している間、前記試料ドロワと前記入口スライド及び前記出口スライドが前記流体入口及び前記流体出口に作用的に接続され、、
前記試料ドロワが開放位置にあるときに、前記試料ドロワと前記入口スライド及び前記出口スライドとが協動して前記流体流れを前記流体入口から前記流体出口へと導き、これにより前記試料ドロワをバイパスし、
前記試料ドロワが部分的開放位置にあるときに、前記試料ドロワと前記入口スライド及び前記出口スライドとが協動して前記流体流れを前記流体入口から前記試料ドロワへと導き、同時に前記試料ドロワを前記流体出口からブロックし、これにより前記試料チャンバをパージし、
前記試料ドロワが閉鎖位置にあるときに、前記試料ドロワと前記入口スライド及び前記出口スライドとが協動して前記流体流れを前記流体入口から前記試料ドロワへと、及び前記試料ドロワから前記流体出口へと導き、これにより前記試料チャンバへの流れを回復する、
ように前記試料チャンバを用意し、
前記試料ドロワを開放して試料を挿入し、その間、前記流体流れに前記試料ドロワをバイパスさせ、これにより前記流体出口への流体流れを維持し、
前記試料ドロワを部分的に開放し、前記流体流れを前記部分的に開放された試料ドロワに入れ、前記部分的に開放された試料ドロワを通してベントさせることによって前記試料ドロワをパージし、
前記試料ドロワを閉鎖し、前記試料ドロワを通して流体流れを回復させ、これによりレーザ処理システムにおいて流体流れを自動的に処理する、
ことによって前記試料ドロワを操作する、
方法。
【請求項１０】
前記改良された試料チャンバが、レーザアブレーション誘導結合プラズマ質量分析器、レーザアブレーション誘導結合プラズマ発光分光器、又はマトリックス支援レーザ脱離イオン化飛行時間分光器のうちの１つへの改良である、請求項９に記載の改良された方法。
【請求項１１】
前記流体流れが不活性ガスである、請求項９に記載の改良された方法。
【請求項１２】
前記不活性ガスがアルゴン又はヘリウムのうちの一方である、請求項１１に記載の改良された方法。
【請求項１３】
前記流体流れは約０．０５Ｌ／分から約１．０Ｌ／分までの間である、請求項９に記載の改良された方法。
【請求項１４】
室内雰囲気から分離した流体流れの中に試料を保持するための試料チャンバであって、流体入口ポート及び流体出口ポートを有する試料チャンバを有する試料処理システムであって、
前記試料チャンバへのアクセスを可能にするように動作可能なアクセスドアであって、
前記アクセスドアが前記第１の位置にあるときに、前記アクセスドアが前記出口ポートに前記室内雰囲気が入るのを防ぎながら前記流体流れを前記入口ポートから前記出口ポートへと導くように動作可能であり、これによりバイパス流れを提供し、
前記アクセスドアが前記第２の位置にあるときに、前記アクセスドアが前記出口ポートに前記室内雰囲気が入るのを防ぎながら流体流れを前記入口ポートから前記試料チャンバへと導くように動作可能であり、これによりパージ流れを提供し、
前記アクセスドアが前記第３の位置にあるときに、前記アクセスドアが前記流体流れを前記入口ポートから前記試料チャンバへ、次いで前記出口ポートへと導くように動作可能であり、これにより回復流れを提供する、
ような３つの位置を有するアクセスドア
を備えた試料処理システム。
【請求項１５】
前記試料処理システムがレーザアブレーション誘導結合プラズマ質量分析器である、請求項１４に記載の試料処理システム。
【請求項１６】
前記第１の位置が実質的開放であり、前記第２の位置が部分的開放であり、前記第３の位置が実質的閉鎖である、請求項１４に記載の試料処理システム。
【請求項１７】
前記流体流れが不活性ガスである、請求項１４に記載の試料処理システム。
【請求項１８】
前記不活性ガスがヘリウム又はアルゴンのうちの一方である、請求項１７に記載の試料処理システム。
【請求項１９】
前記流体流れは約０．０５Ｌ／分から約１．０Ｌ／分までの間である、請求項１４に記載の試料処理システム。
【請求項２０】
室内雰囲気から分離した流体流れの中に試料を保持するための試料チャンバであって、流体入口ポート及び流体出口ポートを有する試料チャンバであって、
前記試料チャンバへのアクセスを可能にするように動作可能なアクセスドアであって、
前記アクセスドアが前記第１の位置にあるときに、前記アクセスドアが前記出口ポートに前記室内雰囲気が入るのを防ぎながら前記流体流れを前記入口ポートから前記出口ポートへと導くように動作可能であり、これによりバイパス流れを提供し、
前記アクセスドアが前記第２の位置にあるときに、前記アクセスドアが前記出口ポートに前記室内雰囲気が入るのを防ぎながら流体流れを前記入口ポートから前記試料チャンバへと導くように動作可能であり、これによりパージ流れを提供し、
前記アクセスドアが前記第３の位置にあるときに、前記アクセスドアが前記流体流れを前記入口ポートから前記試料チャンバへ、次いで前記出口ポートへと導くように動作可能であり、これにより回復流れを提供する、
ような３つの位置を有するアクセスドア
を備えた試料チャンバ。
【請求項２１】
前記試料チャンバが、レーザアブレーション誘導結合プラズマ質量分析器、レーザアブレーション誘導結合プラズマ発光分光器、又はマトリックス支援レーザ脱離イオン化飛行時間分光器のうちの１つである、請求項２０に記載の試料チャンバ。
【請求項２２】
前記第１の位置が実質的開放であり、前記第２の位置が部分的開放であり、前記第３の位置が実質的閉鎖である、請求項２０に記載の試料チャンバ。
【請求項２３】
前記流体流れが不活性ガスである、請求項２０に記載の試料チャンバ。
【請求項２４】
前記不活性ガスがヘリウム又はアルゴンのうちの一方である、請求項２３に記載の試料チャンバ。
【請求項２５】
前記流体流れは約０．０５Ｌ／分から約１．０Ｌ／分までの間である、請求項２０に記載の試料チャンバ。